(57)【要約】      （修正有）【課題】大便が身体前面部へ拡散し、女性のデリケートな部分にべったり付着して洗浄の苦労やカブレ、湿疹、感染症等が起こるのを防ぐ介護用尿取りパッドを提供する。【解決手段】介護用尿とりパッド１の身体の会陰部に当たる位置２に半円柱の盛り上った土手３を設けて大便の拡散を防止する。その土手３の中央部に接続して腹部面４に向けて、大陰茎のくぼみと両サイドの渕を押える範囲で、半円柱状の盛り上り５を設ける。この盛り上り５は土手３に接続する最初の３センチ程度の部分に、大陰茎のくぼみをぴったりふさぐために、くさび形の切り込み６を浅く設ける。この盛り上り５は腹部面４に進むに従って幅は除々に細くし、盛り上りは除々に低くし、大陰茎の長さの２分の１程度で盛り上り５が消滅する設定とする。これにより大便が女性器に付着、侵入することを防止することが出来、女性向専用の介護用尿とりパットとして提供するものである。【選択図】図４
2019072515.tif 000002
【特許請求の範囲】
【請求項１】
介護用尿とりパッド（１）の内面側の、身体の会陰部が当たる位置（２）に、横方向に半円柱の盛り上った土手（３）を設けて、大便が下腹部の女性器方向へ流れて拡散することを防止する形態の女性向専用の介護用尿とりパッドの方法。
【請求項２】
介護用尿とりパッド（１）の内面側の、身体の会陰部が当たる位置（２）に、横方向に半円柱の盛り上った土手（３）を設けた場合は、その中央部より接続して腹部面（４）に向けて、大陰茎のくぼみとその両サイドの渕を押える範囲で、半円柱状の盛り上り（５）を設ける。前述の半円柱の盛り上った土手（３）を設けない場合は、会陰部が当たる位置（２）を起点として腹部面（４）に向けて大陰茎のくぼみとその両サイドの渕を押える範囲で半円柱状の盛り上り（５）を設ける。いずれの場合もその設置方法は女性向専用の介護用尿とりパッドの特許範囲の形態とする。この盛り上り（５）は半円柱状とし、土手（３）に接続する最初の３センチ程度の部分には、大陰茎のくぼみをぴったりふさぐために、くさび形の切り込み（６）を浅く設定する。これにより大陰茎に大便が侵入することを防止することが出来る。この盛り上り（５）は腹部面（４）に進むに従って、幅は除々に細くし、盛り上りは除々に低くし、長さは大陰茎の長さの２分の１程度で盛り上り（５）が消滅する形態で設定する。
【発明の詳細な説明】
【技術分野】
【０００１】  この発明は、自力でトイレに行けず介護を必要とする人が、テープ止めタイプ紙おむつを併用する時に使用する女性専用の介護用尿とりパッドに関するものである。
【背景技術】
【０００２】  従来の介護用尿とりパッドは男女共用が中心で、性別の工夫が見当らない。尿とりパッドと呼称しながら、実態は大便受けも併用している。しかし大便が身体の前面側に流れて広がることが、残念ながら己むを得ない状況となっている。
【発明の概要】
【発明が解決しようとする課題】
【０００４】  従来の介護用尿とりパッドは次の様な欠点があった。
（イ）尿については相当量の吸収が可能になっているものの、大便については汚れ拡散の防止策がない。
（ロ）寝たきりの状態の場合、病院は人手不足の状況下では長時間の間、身体面の広範囲が大便で汚れたままで放置されていることが多い。個人宅での介護においては、特に大便の汚れの拭きとり、洗浄に労力がかかり、大変苦労している。
（ハ）介護の現場では、大便等による感染症が広く見られ、現実に大きな問題となっている。女性の場合は、女性器と肛門が近いため、大便の身体前面への拡散、流れ込みが、特に衛生上問題となっている。大陰茎のくぼみから、大便が侵入しやすく、その防止策が無いため感染症の懸念も大きい。加えて介護用尿とりパッドの取り替え時の、汚れ部分の洗浄には大変手間がかかり、それぞれの現場で個別に工夫しているのが現実である。
【課題を解決するための手段】
【０００５】  介護用尿とりパッド（１）の内面側の、身体の会陰部が当たる位置（２）に、横方向に半円柱の盛り上った土手（３）を設ける。これにより大便が女性器方向に流れて拡散することを防止する。その土手（３）に接続して、腹部面（４）に大陰茎のくぼみとその両渕をふさぐ広さで、盛り上り（５）を設けて装着時に女性器をしっかり覆う形とする。この盛り上り（５）の形状は、半円柱状で、土手（３）との接続部の３センチ部分には、大陰茎のくぼみをぴったりふさぐために、くさび形の切り込み（６）を浅く設定する。これにより大陰茎に大便が侵入することを防止することが出来る。この盛り上り（５）は腹部面（４）に向って、幅は除々に細くし、盛り上りは除々に低くし、長さは大陰茎の長さの２分の１程度で盛り上り（５）が消滅する設定とする。土手（３）で身体前面への大便拡散、流れ込みを堰止めし、盛り上り（５）で大陰茎への大便侵入を防止するが、尿道口その他は解放されているので排尿時等にストレスを感じることはない。
【発明の効果】
【０００６】    （イ）大便が身体前面部分へ拡散することを防げる。
（ロ）介護用尿とりパッドの取り替え時は、大便の拭きとりや洗浄が背面部中心になり作業が早く、非常に楽になる。
（ハ）本発明は女性専用の介護用尿とりパッドであるため、身体前面側のデリケートな部分に大便が付着あるいは、侵入するのを防止できるので、感染症の懸念も少なくなり快適性も大きく向上する。
（ニ）トイレでの大便の取り除き作業が楽になる。
【図面の簡単な説明】
【０００７】
【図１】介護用尿とりパッドの平面図
【図２】介護用尿とりパッドに土手を設置した斜視図
【図３】介護用尿とりパッドに土手と盛り上りを設置した全体の側面図
【図４】本発明の全体の斜視図
【発明を実施するための形態】
【０００８】  介護用尿とりパッド（１）の内面側の、身体の会陰部が当たる位置（２）に、横方向に半円柱の盛り上った土手（３）を設けて大便が女性器方向に流れて拡散することを防止する。その土手（３）の中央部分より接続して腹部面（４）に向けて、大陰茎のくぼみとその両サイドの渕を押える範囲で盛り上り（５）を設ける。この盛り上り（５）は半円柱状として、土手（３）に接続する最初の３センチ程度の部分には、大陰茎のくぼみをぴったりふさぐためにくさび形の切り込み（６）を浅く設定する。これにより大陰茎に大便が侵入することを防止することが出来る。この盛り上り（５）は土手（３）に接続する部分から腹部面（４）に伸びるに従って、幅は除々に細くし、盛り上りは除々に低くし、長さは大陰茎の長さの２分の１程度で盛り上り（５）が消滅する設定とする。会陰部が当る位置（２）に設ける半円柱の盛り上った土手（３）は身体腹部面（４）に大便が拡散することを堰止めする目的であるので、規模は直径２センチ程度の半円柱のベルト状の盛り上りとする。腹部面（４）に伸びた盛り上り（５）は女性のデリケートな部分への大便の侵入を防止する目的であるので、規模は直径３センチ程度の半円柱状の大きさから、腹部方向へ除々に小さくすることにより、腹部への圧迫感を無くし、排尿時の不快感を感じさせないで介護用尿とりパッド（１）の機能を保持することが出来る。本発明は、現在市場に流通している既存の介護用尿とりパッド（１）の内面側の２箇所に、土手（３）と盛り上り（５）を新たに追加設定した状態で需要者に提供することにより、実際の介護時の装着は従前と変らないため余分な負担がかからない。加えて、介護用尿とりパッド（１）の取り替え時の付着大便の洗浄を中心とした身体の洗浄作業が極めて楽になる。特に女性のデリケートな部分への大便の侵入を相当程度回避できるため、感染症の観点からもその効果は大きい。半円柱の盛り上った土手（３）とその土手（３）に接続して腹部面（４）に伸びた盛り上り（５）の組成素材は、カブレや異和感が発生しない様に、介護用尿とりパット（１）の内面側一帯を組成する素材と同一とする。大便の侵入をさらに強く阻止する場合は、土手（３）と盛り上り（５）の硬度を高めるために、線状パルプ、吸水紙等の密度を濃くして調整する方法を採用する。前述の半円柱の盛り上った土手（３）を設けない場合は、会陰部が当たる位置（２）を起点として腹部面（４）に向けて大陰茎のくぼみとその両サイドの渕を押さえる範囲で、半円柱状の盛り上り（５）を単独で設ける。この盛り上り（５）の形状等を前述と同様に設定すれば、女性のデリケートな部分への大便の侵入を防止することが出来る。
【符号の説明】
【０００９】１  介護用尿とりパッド
２  会陰部が当たる位置
３  土手
４  介護用尿とりパッドの腹部面
５  盛り上り
６  くさび形の切り込み
【図１】
2019072515.tif 000003
【図２】
2019072515.tif 000004
【図３】
2019072515.tif 000005
【図４】
2019072515.tif 000006